(57)【要約】【目的】液晶ディスプレーの時分割駆動法に適用したときに有効な方法の提供。【解決手段】反強誘電性液晶ディスプレーの駆動において、選択電極に線順次で走査されて印加される選択波形が連続した複数の単位時間毎の単位構成矩形波からなり、前記信号電極には前記選択電極の最終単位構成矩形波に同期するように信号が印加され、互いに隣接する前記選択電極に印加される選択波形は時間的に互いに重複することが可能であって、選択電極に印加される選択波形の最終単位構成矩形波の印加が、隣接する選択電極に印加される選択波形の最終単位構成矩形波に対し単位時間１個分だけの時間差を有することを特徴とした反強誘性液晶ディスプレーの駆動方法。【効果】選択波形を構成する単位構成矩形波を全く任意に設定でき、また、低温領域での駆動性、液晶液晶ディスプレーの焼きつき現象の低減等に効果的。【選択図】図３
2004144915.tif 000002
【特許請求の範囲】
【請求項１】
対向面にそれぞれ複数の選択電極と信号電極を有し、一対の基板間に反強誘電性液晶を狭持した、マトリックス状に画素を備える反強誘電性液晶ディスプレーの駆動法において、該選択電極に線順次で走査されて印加される選択波形は連続した複数の単位時間毎の単位構成矩形波からなり、前記信号電極には前記選択電極の最終単位構成矩形波に同期するように信号が印加され、
互いに隣接する前記選択電極に印加される選択波形は時間的に互いに重複することが可能であって、
選択電極に印加される選択波形の最終単位構成矩形波の印加が、隣接する選択電極に印加される選択波形の最終単位構成矩形波に対し単位時間１個分だけの時間差を有することを特徴とした反強誘性液晶ディスプレーの駆動方法
【請求項２】
一の選択波形を構成する単位構成矩形波のうち、最後の２つの単位構成矩形波は同極性であることを特徴とした、請求項１記載の反強誘電性液晶ディスプレーの駆動方法
【請求項３】
一の選択波形を構成する単位構成矩形波が、最後の２つの単位構成矩形波を除いて交互に逆の極性からなることを特徴とした請求項１記載の反強誘電性液晶ディスプレーの駆動方法
【請求項４】
一の選択波形を構成する単位構成矩形波のすべてが同極性であることを特徴とした請求項１記載の反強誘電性液晶ディスプレーの駆動方法
【請求項５】
選択電極に印加する選択波形は選択期間、バイアス期間とリセット期間からなり、該期間は前半と後半の２つの期間から構成され、該位相は互いに１８０度異なることを特徴とした請求項１記載の反強誘電性液晶ディスプレーの駆動方法
【請求項６】
互いに隣接する選択電極に印加する選択波形間の位相が１８０度異なることを特徴とした請求項１記載の反強誘電性液晶ディスプレーの駆動方法
【発明の詳細な説明】
【０００１】
【産業上の利用分野】
本発明は反強誘電性液晶を用いた液晶表示素子に関するものであり、特に時分割駆動法に適用したときに有効な技術に関するものである。
【０００２】
【従来技術】
通常の液晶パネルの構成はＸ本の選択電極とＹ本の信号電極からなり、これら選択電極と信号電極とからなる任意の交点に選択的に電圧印加をすることで、文字表示、グラフィック表示、ビデオ表示等がなされている。この時、選択電極は上から順番に選択電圧を印加され、これに同期した信号電圧を印加することで（Ｘ・Ｙ）個の画素が形成される。より具体的には選択法については線順次駆動法と同時選択駆動法が報告されており、一方駆動される物質により、累積応答モード、逐次駆動モードなどに分類されてきている。従来報告されている駆動法の特徴について駆動法とモードに着目して簡単にその組み合わせを以下順次簡単に説明する。
【０００３】
まず線順次駆動で累積応答モードで駆動される場合の特徴を考えてみる。これはＸ本の選択電極のうち、選択された場所とその時刻を表すために（１）式で表されるＸ行Ｘ列の単位行列を考えると理解しやすい。
【０００４】
【式１】
2004144915.tif 000003
【０００５】
今、選択波形を構成する単位構成矩形波を１、非選択区間を０で表し、印加される時間を更に考慮すると、選択される電極とそのときの時刻ｔの関係が単位行列の形で直ちに表されることになる。すなわち１番目の選択電極が選択される時刻はｔ１からｔ２まで、２番目の選択電極が選択される時刻はｔ２からｔ３まで、（以下同様）というように表されることになり、各選択電極が選択されている期間の重複することのないように基本的に構築されている。選択電極の番号がＸになると選択される電極の番号は再び１に戻るが、液晶の劣化を防止するために、第１回目の選択とは逆極性の電圧が印加される。
【０００６】
一方、Ｎ本からなる信号電極に印加する信号電圧は、選択電極（たとえば選択電極１）に選択電圧が印加されている期間（ｔ１＜ｔ２）に同期させながら印加する方法がとられ、選択電極上のＮ個の画素に対応する信号電圧をそれぞれ印加することにより、選択された選択電極１列分の画像情報を確定する方法が取られてきた。（例えば、特許文献１参照）
上記選択法は、１つの選択期間に印加する選択信号は単一の矩形波からなることを特徴としているが、これとは別に線順次駆動で逐次書きこみモードの例、すなわち複数の矩形波からなる選択波形を印加する駆動技術が公表されている。（例えば、特許文献２，３参照）。
【０００７】
【式２】
2004144915.tif 000004
【０００８】
（１）式に倣い選択方法をマトリックスで表示すると（２）式のごとく表される。
この駆動法を概略説明すると、１選択時間はｔ１からｔ５までの４区間からなる時間の長さを持ち、そのおのおのの時間内に印加される選択期間を構成する単位矩形波の極性はプラス、マイナス、マイナス、プラスの順序からなる。１つの選択期間が終了すると、つぎの選択電極に選択が移行し、前記ｔ１からｔ５までの４区間と同じ順序で構成された複数個の単位矩形波が選択信号として印加されるが、互いに隣接し合う選択電極間で、選択期間が重複し合うことが起こらないように配置されていることは、式（１）で表されている駆動方式と同様である。
【０００９】
このような駆動とは異なった方式が提案されている（例えば、特許文献４参照）。前記分類によれば、同時選択書き込みで逐次書きこみモードの組み合わせに分類されるが、この技術の特徴は、１ライン分の選択信号を複数の単位矩形波で構成し、選択電極も同時に複数桁選択する方式である。この技術の特徴は選択電極に印加する選択波形にあり、その構成方法は、おのおの２＾ｎ（ｎ＝１，２，３．．．）で構成されるＨａｄａｍａｒｄマトリックスなどの直交行列そのものもしくはその部分行列を選択波形として利用することである。一方このときに与える信号電極データは、画素情報にもとずく信号電圧をそのまま印加するのではなく、その選択電極の数（下記例ではＮ＝４）に対応した特殊な計算を行い、そこで変換された信号電圧を印加するという複雑な過程を踏むことになる。
【００１０】
【式３】
2004144915.tif 000005
【００１１】
以上の分類から、これまで発表されてきた書きこみモードの中で、線順次書きこみでありながら逐次モードの組み合わせが全くないことが明らかである。
【特許文献１】
特開昭５６−１０７２１６号公報
【特許文献２】
特開昭６２−５６９３５号公報
【特許文献３】
特開昭６２−２０４２３４号公報
【特許文献４】
特許３２４７５２５号公報
【００１２】
【発明が解決しようとする課題】
前節で述べたように、材料を固定して考えたとき、従来の駆動方法が最適かどうかがマトリックス特性との関連で問題となってくる。特に従来の線順次駆動においては、選択時間が１フレームの周波数と走査線数の関係から一義的に決定されてしまい、逐次書きこみの特徴を十分生かしきった駆動がなされているか否かが判然とはしない状況であった。本発明の解決すべき課題の一つは、反強誘電性液晶ディスプレーにおける逐次書きこみの特徴を十分生かしきった駆動法の確立である。
またマトリックス特性の評価パラメータとしていかなる数値を採用するかということも前述した課題との関連から重要な問題となってくる。これまでは、マトリックス特性を評価する際、特に低周波（０．１Ｈｚ）の三角波駆動を行い、そのヒステリシス曲線から主として、マトリックス特性を評価するという手法が取られてきたが、フレーム周波数６０Ｈｚ，デューティー比１／２４０もしくはそれ以上というような実際の駆動条件下では、必然的に得られる結果は異なってくる。この事から、実際の駆動に近い条件下での定量的な駆動パラメータの設定が次の課題となる。
【００１３】
最後に駆動に用いる選択側および信号側のＩＣ機能との関連が重要となる。パネルの設計サイドからの要求事項として設計の自由度の確保、例えば、同時選択の桁数の数を２のべき乗で表される不連続な数（２，４，８，１６，３２．．．）ではなく、自然数の数列（２，３，４，５，６．．．．）で構成できないかという課題や、同時選択した選択電極に印加する信号電極の信号の煩雑な計算なしでデータの書きこみができないかという要求が強い。このことはまた、消費者がパネルの特性を連続的に変化させる際、飛び飛びではなくなるべく連続的にという機能の付与は特に必要な事項として考慮されなければならないことである。
【００１４】
【課題を解決するための手段】
本発明者は、特に逐次モードは“メモリー性を有する材料”の時に有効であり、さらに詳細に考慮すると、複数の選択信号で駆動する場合、複数の単位選択パルスの中の最後のパルスで書きこんだ情報分のみが有効で確定されるということに着目し、発明を完成した。
すなわち、本発明は、対向面にそれぞれ複数の選択電極と信号電極を有し、一対の基板間に反強誘電性液晶を狭持した、マトリックス状に画素を備える反強誘電性液晶ディスプレーの駆動法において、該選択電極に線順次で走査されて印加される選択波形は連続した複数の選択単位時間毎の単位構成矩形波からなり、前記信号電極には前記選択電極の最終単位構成矩形波に同期するように信号が印加され、
互いに隣接する前記選択電極に印加される選択波形は時間的に互いに重複することが可能であって、選択電極に印加される選択波形の最終単位構成矩形波の印加が隣接する選択電極に印加される選択波形の最終単位構成矩形波に対し単位時間１個分だけの時間差を有することを特徴とした反強誘性液晶ディスプレーの駆動方法である。
これまで、強誘電性液晶もしくは反強誘電性液晶など、メモリー性を有する材料に関して、このような逐次書きこみモードの特徴を有する駆動法は、いまだ公表されてこなかった。
【００１５】
本発明は、次のようなバリエーションを含む。すなわち、
（１）選択電極に印加される選択波形は連続した複数の矩形波より構成され、前記信号電極には前記選択電極の最終矩形波に同期するように信号波形を印加することとし、互いに隣接する選択電極群に印加される選択波形は時間的に互いに重複することが可能であって、線順次で走査される選択電極群に印加する選択波形の印加開始時刻は選択矩形波を構成する単位構成矩形波の１個分だけの時間差を有する駆動法。
これは反強誘電性液晶のメモリー性を有効に利用し、逐次書きこみモードの特徴を最大限利用することで可能となった駆動法である。
（２）前記選択波形は構成矩形波数がＮのとき、最後の２つの選択矩形波は同極性であり、残りの（Ｎ−２）個のうち、逆極性の数が（Ｎ−１）／２で表される数の整数部である駆動法。
これは、同時選択された選択電極のうち、必要な情報を書きこむ選択電極と、書きこみ途中の選択電極を極性によって区別するための第１の工夫である。
【００１６】
（３）前記選択波形は構成矩形波をＮとすると最後の２つの選択矩形波を除いた矩形波の極性が２つ連続して同じ極性を取らない駆動法。
これは、同時選択された選択電極のうち、必要な情報を書きこむ選択電極と、書きこみ途中の選択電極を極性によって区別するための第２の工夫である。
（４）選択波形は構成矩形波をＮとすると、Ｎ個すべてが同極性である駆動法。これは特に低温駆動のような極端温度条件のときに有効な駆動法となる。
（５）選択電極に印加する電圧波形は選択期間、バイアス期間とリセット期間からなり、該期間は前半と後半の２つのフレーム期間から構成され、該フレーム期間の位相は互いに１８０度異なる駆動法。
これは図１に示すように、１つの選択電極に印加される電圧波形が構成する１周期の波形の中身を表しており、電圧波形１周期がさらに２フレームから構成され、前半のフレームと後半のフレームが互いに逆極性となるように構成される用に配置されている。
【００１７】
（６）互いに隣接する選択電極に印加する電圧波形間の位相は、１８０度異ならせる駆動法。
このことにより、一般的にｉ番とｉ＋１番目の選択電極の極性は１単位矩形波分の時間差を無視すれば、逆極性となり、同極性で書きこんだ場合顕著となるクロストーク現象が回避されることになった。
（１）式に倣いＮ＝３の場合の１フレーム目の選択波形を構成する矩形波の組み合わせの１例を（４）式に示す。
【００１８】
【式４】
2004144915.tif 000006
【００１９】
【実施の形態】
図１は選択波形が（４）式で表される３個の単位矩形波から構成される場合の印加電圧プロフィールの例を１周期にわたり更に詳細にあらわしたものである。図からも明らかなように、駆動波形は（４）式で表された選択期間、バイアス期間、およびリセット期間の３つより構成されている。反強誘電性液晶の駆動ではマトリックス特性を広い温度範囲で良好に確保するため、他のモードにはないリセット期間を設ける。通常この電圧は０Ｖかバイアス電圧Ｖｂの逆極性にとられる。本発明のリセット電圧は通常の選択電極駆動用ＩＣによる駆動レベルの増加を押さえるため０Ｖとしているが、このために一般性を失うということもない。一方データ信号Ｖｄは、選択波形の波高値を中心±Ｖｄの電圧範囲で重畳されながら、印加される。明状態は選択電圧Ｖｓにデータ電圧Ｖｄを加算した状態で、また暗状態は選択電圧Ｖｓからデータ電圧Ｖｄを減算した電圧状態で実現される。またバイアス期間もしくはリセット区間でもデータ電圧Ｖｄは印加されつづけるがこの状態が明状態であるか暗状態であるかは他の選択電極に与えるデータに依存するので一義的には決定できない。このため評価時のデータ電圧は±Ｖｄの矩形波を交互に組み合わせたものを用いているがこのために一般性を欠くことにはならない。
【００２０】
第２フレームは第１フレームの波形の極性をすべて反転した形からなり、第１フレームおよび第２フレームで１周期を構成することが示されている。
次にマトリックス特性の評価に関連した、Ｏｎ波形とＯｆｆ波形の定義をすることにする。一般的に単純マトリックス駆動では、非選択状態でも画素は常にバイアス電圧、データ電圧もしくはリセット電圧が印加され続けることは従来のネマティックモードと変わらない。そこで、Ｏｎ波形として、選択期間にはＶｓ＋Ｖｄが印加され、バイアス期間にはＶｂ＋Ｖｄが、リセット期間においてはＶｒ＋Ｖｄという波形で代表させる。一方Ｏｆｆ波形としては、Ｏｎ波形の選択期間の波形をＶｂ−Ｖｄの波形に置き換えたものと定義する。
【００２１】
次にマトリックス特性の評価法について本発明の２５℃における比較例である図２を用いて述べることにする。図１におけるＯｎ波形およびＯｆｆ波形のＶｓ，Ｖｄを固定しながらバイアス電圧Ｖｂを変化させていくと、Ｖｂの値に依存して、透過光強度が連続的に変化していく現象が観察されるが、Ｔｏｎ及びＴｏｆｆに関して各々、透過光強度が１０％だけ変化し始まる電圧Ｖｂ１＿ｏｎ，Ｖｂ１＿ｏｆｆ，および透過光強度が飽和する電圧Ｖｂ２＿ｏｎ、ｂ２＿ｏｆｆの計４種類が観察されることになる。
【００２２】
通常各画素には、選択電極からＡ（選択電圧＋バイアス電圧＋リセット電圧）もしくはＢ（非選択電圧＋バイアス電圧＋リセット電圧）で表される２種類の電圧が供給され、一方信号電極からは、データ信号Ｃが供給される。本発明ではリセット電圧が０Ｖにとられているので、実際はＡ０（選択電圧＋バイアス電圧）、Ｂ０（非選択電圧＋バイアス電圧）の２種類電圧が供給され、データ信号Ｃはそれぞれ最低−Ｖｄ（黒）と最高＋Ｖｄ（白）が供給されることになる。すると各画素が感じる電圧は最高（Ａ０＋Ｖｄ＝選択電圧＋バイアス電圧＋データ電圧）が、最低（Ｂ０＝非選択電圧＋バイアス電圧−Ｖｄ）という電圧になる。一般に、液晶材料はある特定の電圧以下では光学特性の変化は生じず、その電圧以上で初めて変化し始めることが知られている。このことをＡ０にあてはめて考えてみる。
【００２３】
選択電圧とデータ電圧を固定すると、たとえデータ電圧を白に書き込む最高の値であるＶｄにしても、バイアス電圧がある一定以上の値になるまでは、光学変化は引き起こさず黒の状態を保持する。ところがバイアス電圧をそのまま増加させると、黒の状態が変化し始め、あるバイアス電圧範囲でデータ電圧に従う光学変化が起こるようになる。このバイアス電圧範囲を超えると、透過光強度は飽和しながら白状態が維持され続け、透過光強度がデータ信号では制御不可能な状態へと移行する。
一方、Ｂ０について考えてみると、データ電圧を−Ｖｄに設定したとしても、バイアス電圧過剰印加のために、光学特性として黒が維持できず、透過光強度が白に向かって変化し始める電圧が定義される。するとある特定の選択電圧の下、ある特定のバイアス電圧に設定すれば、データ電圧がそのまま実現されるという駆動にとって好都合である３種類の電圧の組み合わせが定義されることになる。
【００２４】
本発明でのマトリックス特性の本質はこの組み合わせの多様さ、換言すれば後述するＡ０，Ｂ０，Ｃで形成される領域の広さのことと理解し、この領域の広さが駆動方法にどの程度依存するかに着目した。この領域が広く確保されるということは、各種雑音に起因する電圧の揺らぎ、使用するＩＣの耐圧の制限などに対して、駆動が安定かつ容易になることを意味し、結果として良好なパネルが安価かつ安定的に供給することが可能となる。
【００２５】
上記理解に立脚し本発明におけるマトリックス特性の判断基準のパラメータとしては、ＴｏｎおよびＴｏｆｆの強度が飽和強度の１０％に到達するときのバイアス電圧でＶｂ１＿ｏｎ，Ｖｂ１＿ｏｆｆ、また同様に飽和する電圧をＶｂ２＿ｏｎ、Ｖｂ２＿ｏｆｆであらわされる値をとることにする。次にこの値を利用して、まずＴｏｎの曲線において、Ｖｂ２＿ｏｆｆ、Ｖｂ２＿ｏｎおよびＶｂ１＿ｏｎの値に対応するＴｏｎ上の点から決定される領域の面積から、Ｔｏｆｆの曲線における、Ｖｂ２＿ｏｆｆ、Ｖｂ１＿ｏｆｆおよびＶｂ１＿ｏｎの値に対応するＴｏｆｆ上の点で決定される曲線の領域の面積を引きさった、図中斜線で示された領域の広さを定義し、この値（面積）が大きければ大きいほど良しとした。この領域が広くなると、基本的に駆動マージンは広くなり、選択桁数は多く取ることが可能になり、駆動が有利になることになる。本発明ではこの領域の面積値をＰであらわすことにする。
【００２６】
次の目安としてＶｂ１＿ｏｆｆの値、およびＶｂ１＿ｏｆｆのバイアス電圧におけるＴｏｎの値も同時に検討することとした。この値はバイアス電圧Ｖｂ１＿ｏｆｆに設定したときに実現される白の最大輝度に対応しており、この値は大きければ大きいほど特定のバイアス電圧に対して白と黒の比が大きく取れることになり駆動マージンが広くとれることに対応する。本発明ではこの値をＴｏｎ（Ｖｂ１＿ｏｆｆ）で表している。
【００２７】
【発明の効果】
線順次駆動の原則に則りながら、逐次書きこみの特徴を利用し、選択波形を複数個の矩形波で構成することにより、反強誘電性液晶のマトリックス特性を劇的に改善することができる。この効果は選択波形を構成する矩形波の個数に依存し、基本的には多ければ多いほど本発明の効果は増大する。
選択波形を構成する単位構成矩形波の構成方法は全く任意に設定できその個数Ｎは２から順に，３，４，５，．．．といった任意の自然数に従った形での設定が可能である。本発明の駆動法は、従来ネマティックモードで適用されていた直交Ｗａｌｓｃｈ関数の部分行列に基づく構成法からは不可能な選択桁数３，５，６，７といった数を含み、選択の幅が拡がるので、産業的には絶対的な優位性を提供する。
【００２８】
低温領域での駆動能力の増大は顕著なものがあり、従来材料の従来駆動法と比較すると従来駆動温度領域からさらに１０度から２０度までの低温駆動可能領域の拡大効果を有する。
逐次書きこみ特性と重複書きこみを併用することにより、反強誘電性液晶における焼きつき現象がかなり低減化される効果を確認した。液晶ディスプレーにおいてしばしば発生する焼きつきを防ぐためには、輝度の異なったデータ信号の交互書きこみ方法が提案されているが、本発明を用いれば、意識的に白もしくは黒のデータを書きこむ操作をすることなく、自動的に輝度の異なるデータ（例えば黒と白という情報）の交互書きこみが実行され、結果として焼きつき現象の低減化が実現されることが判明した。
これらの結果を表１から表４までに比較例と共に実施例で具体的に示すことにする。
【００２９】
【実施例】
以下の実施例において用いた液晶材料は、反強誘電性液晶ミクスチャ（三菱ガス化学（株）製、Ｊ５２−５）である。セル構成としては、配向膜として日産化学（株）製、ＲＮ１１９９を膜厚３００Åでガラス板に塗布し、２００℃で焼成したものを用い、電極板と配向膜の間にはタンタルの酸化物を膜厚１０００Åにて配置し、２枚の基板のラビング方向を略平行に配置した後、基板間の間隔が１．８ミクロンになるように調整したものを用いた。
【００３０】
本発明の評価に際してのフレーム周波数は６０Ｈｚに、またリセット時間を３ｍ秒に設定したが、本発明の効果はこの周波数やリセット時間のみに限定されるものではなく、駆動ＩＣの性能に準拠しながら、この周波数よりも高く設定してもよくまた低く設定しても、あるいはリセット時間を長くしても短くしても本発明の効果は同様に働くことはいうまでもない。
実験を通して、データ採取はすべて同一セルを用いることとし、このセルについて、駆動方法を変化させ、あるいは温度を変化させながら、駆動マージンの変化を検討した。
【００３１】
実施例１
３本選択の場合のｉ，ｉ＋１，ｉ＋２番目の選択電極に印加する選択波形の例を図３に示す。この図からも明らかなように選択波形は複数の選択時間毎の単位構成矩形波からなり、一方選択波形の単位構成矩形波を左から順番に第１、第２、第３位相と名づけると、表示データの書き込みは選択波形の第３位相の構成矩形波に同期して行われるように設定される。また、選択電極相互間に印加される選択波形の時間的な相互関係は互いに時間的に重複することが可能であって、選択矩形波の印加開始時刻が単位構成矩形波の１個分だけの時間差を有している。このためｉ番目の選択電極に書きこみがなされるとき、すぐ下の電極ｉ＋１および電極ｉ＋２の選択矩形波はそれぞれ第２および第１位相であり、これらの電極に対する書きこみ情報はいまだ確定していない、いわば書きこみの中間状態となっている。またｉ番目のデータ電圧を−５Ｖとし（白）、選択波形の第３位相の矩形波電圧を２５Ｖとするとｉ番目の画素の液晶が感じる電圧は２５−（−５）＝３０Ｖとなる。
【００３２】
一方ｉ＋１，ｉ＋２番目の画素の液晶が感じる電圧は−２５−（−５）＝−２０Ｖとなり、液晶の閾値が２０Ｖ以上であれば、画素ｉは白書き込みがなされると共にこの情報が確定し、一方ｉ＋１，ｉ＋２の画素は黒のままで書きこみが進行することになる。またｉ番めの電極よりも以前の番号の画素電極、およびｉ＋３以上の番号の電極はデータ信号とバイアス信号のみの電圧（±５Ｖ＋バイアス電圧）の影響しか受けず、書きこみの閾値が２０Ｖ以上であることを考慮すると、以前の情報は、このデータ信号によって新しく書きかえられるなどの影響は全くうけることがないことがわかる。本発明の書きこみモードが有効なことの理由として、画素を確定するために選択されたｉ番目の選択電極上の画素と、画素情報を確定させたくないが、選択されてしまったｉ＋１およびｉ＋２番目の選択電極上の画素の情報を、印加される選択波形の極性で区別したこと、また確定させたい情報以前もしくは以後の情報は閾値との関係から、全く無関係にすることが可能となることが上げられる。図４に単位構成矩形波として３パルスで構成した選択信号で駆動した場合の電気光学測定の結果を示す。
【００３３】
このとき、Ｔｏｆｆの曲線の立ち上がるバイアス電圧値Ｖｂ１＿ｏｆｆは、９Ｖであり、比較例である図２における８Ｖと比較すると値そのものは１Ｖほど増加しているが一方Ｔｏｎ（Ｖｂ１＿ｏｆｆ）を比較すると本発明の値約１５０に対し、比較例では７０しか実現してはおらず約８０の差が生じている。図４における飽和輝度が約１５０であることを考慮すると従来の駆動法では本来本発明の駆動法で実現されるべき白の輝度の７０／１５０＝０．４７すなわち約４割強の明るさしか実現されないことを意味している。
一方図４においては、Ｔｏｎ（Ｖｂ１＿ｏｆｆ）の値は約１５０であり、同図より判断するとバイアス電圧８Ｖですでに透過光強度は飽和していることがわかる。さらに各グラフのＴｏｎの飽和値で標準化した後、Ｐ値を比較すると１単位構成矩形波駆動において１．９７であった面積が３単位構成矩形波駆動では２．２５まで増加している。
【００３４】
以上の実験事実は以下のことを示す。すなわち
・連続した矩形波で構成された選択信号で駆動すると、バイアス電圧が低下する。
・黒と白を同時に表示させるための必要なバイアス電圧領域は拡大し、それだけ駆動は容易になり、駆動マージンは拡大する。
・Ｔｏｆｆのバイアス電圧依存性の傾きは正なので低バイアス側で駆動可能であるということはＴｏｎとＴｏｆｆの比で表される駆動コントラストが向上するということであり、この観点からすると、１単位構成矩形波駆動の時と比較して、３単位構成矩形波駆動のときのほうが高いコントラスト比が得やすい。
【００３５】
実施例２
２５℃において、４本同時選択の場合の選択電極に印加した選択電圧波形の例を図５に示す。位相の名前の付与方式は実施例１と同様とする。選択電圧波形は上から一定の時間間隔に従いながら順番に選択される時分割駆動であるが、書きこみ選択信号が複数の単位構成矩形波からなり、かつ表示データの書き込みは選択波形の最終選択矩形波に同期して行われる。この時書きこみがなされるすぐ下の電極ｉ＋１および電極ｉ＋２、電極ｉ＋３、の選択矩形波はそれぞれ第３，２、および第１位相でありこの選択電極上の書きこみ情報は確定していない、いわば書きこみ中間状態にある。
またｉ番目のデータ電圧を−５Ｖとし（白）、選択波形の第３選択矩形波電圧を２５Ｖとするとｉ番目の画素の液晶が感じる電圧は
２５−（−５）＝３０Ｖとなる。
一方ｉ＋１，ｉ＋２，ｉ＋３番目の画素の液晶が感じる電圧は−２５−（−５）＝−２０Ｖとなり、液晶の閾値が２０Ｖ以上であれば、画素ｉは白書き込みがなされると共にこの情報が確定するが、一方ｉ＋１，ｉ＋２、ｉ＋３の画素は黒のままで書きこみが進行することになる。またｉ番めの電極よりも以前の番号の画素電極、およびｉ＋４以降の番号の電極はデータ信号とバイアス電圧のみの電圧の和でしか影響は受けず、書きこみの閾値が２０Ｖ以上であることを考慮すると、選択電極ｉ番目以前およびｉ＋４番目以降の情報は、このデータ信号によっては全く影響をうけることはないことがわかる。
【００３６】
図６に実施例２の結果を示す。このグラフは選択信号を図５で示す４つの矩形波から構成し、線順次駆動を行ったときのバイアス電圧依存性を示したものである。同図からまずＶｂ１＝１０Ｖ、Ｔｏｎの飽和値を与えるバイアス電圧は６Ｖ、５Ｖ以上の電圧範囲での面積を計算すると２．６１と計算される。図４の場合と比較すると
Ｖｂ１＿ｏｆｆの値そのものは１Ｖ程度上昇しているが、Ｔｏｎの飽和値を与えるバイアス電圧は更に低下しており、３パルスの場合よりも更に駆動が容易になる方向に改良されていることがわかる。このことはＰ値を計算しても２．２５から２．６１へと増加していることからもわかる。
【００３７】
実施例３
２５℃において、　実施例１および２と同様に選択信号として５個の単位構成矩形波で構成した例を図７に示す。最後の２パルスは同極性とし、最後から３パルス目は極性を反転させる更に最後から４パルス目は最後から第３パルス目の逆極性．．．．．という具合に選択信号は構成されている。
この選択信号で駆動した結果を図８に示す。図６と比較すると若干のマトリックス特性の減少は見受けられるが、それでもＴｏｎの飽和するバイアス電圧は８Ｖ、５Ｖ以上のバイアス電圧領域で、Ｐ値は２．２０となり、比較例である図２の単一パルスのときと比較すると劇的に改善されていることがわかる。
２５℃における本発明の駆動下でマトリックス特性が単一パルスのときと比較して如何に改善されたかを表１にまとめて示した。（表１から表４中の括弧の中の数は選択波形を構成する単位構成矩形波の極性を表している。）構成矩形波の数Ｎが３以上であればＴｏｆｆが立ち上がり始めるバイアス電圧のところで、Ｔｏｎの曲線がすでに飽和しており、単一矩形波で駆動したときには得られなかった特性が実現されていることがわかる。
【００３８】
実施例４
通常液晶は低温領域での駆動は困難になり、最終的には電圧に反応しなくなる現象を示す。ところが本発明の駆動法によれば、そのような現象をある温度領域までは救済することができ実質的な駆動領域を拡大することができるようになる。図９に１５℃で１構成矩形波で構成した選択信号で駆動した場合の電圧−透過光強度の関係を比較例として示した。図８においてきれいに分離していたＴｏｎおよびＴｏｆｆの曲線は１つに合体し、もはやＯｎ波形とＯｆｆ波形の電圧差で画素情報を書きこむ単純マトリックス駆動が不可能な状態になっていることがわかる。一方図３で示したものと同じ選択信号を用いた本発明の駆動法で駆動した結果を図１０に示した。この図からはＴｏｎとＴｏｆｆの透過光強度は印加バイアス電圧に対し明確に２つに分離しておりこの温度領域での単純マトリックス駆動が可能であることを示している。
【００３９】
実施例５
図１１に１５℃で４単位矩形波構成の選択信号で駆動した場合の結果を示す。図１０と比較すると３パルスで駆動した場合よりもさらにマトリックス特性は向上しており、特にＴｏｎの特性の向上が著しい。
１５℃において、対向面にそれぞれ複数の選択電極と信号電極を有し、一対の基板間に反強誘電性液晶を狭持した、マトリックス状に画素を備える反強誘電性液晶ディスプレーの駆動法において、該選択電極に線順次で走査されて印加される選択波形は連続した複数の選択単位時間毎の単位構成矩形波からなり、前記信号電極には前記選択電極の最終単位構成矩形波に同期するように信号が印加され、互いに隣接する前記選択電極に印加される選択波形は時間的に互いに重複することが可能であって、選択電極に印加される選択波形の最終単位構成矩形波の印加が隣接する選択電極に印加される選択波形の最終単位構成矩形波に対し単位時間１個分だけの時間差を有し、一の選択波形を構成する単位構成矩形波のうち、最後の２つの単位構成矩形波は同極性であって、一の選択波形を構成する単位構成矩形波が最後の２つの単位構成矩形波を除き、交互に逆の極性からなる、選択波形に基づいた駆動を行った結果を表２に示す。比較例では０であったＰ値が、選択パルスの単位構成矩形波の増加により、劇的に改善されること、特に４個の矩形波構成によれば２５℃と全く同等の駆動が可能であることが示されている。
【００４０】
実施例６
さらに低温特性を改善するための手段として３個の同極性からなる矩形波から構成された選択電圧波形を考案した。この選択信号を図１２に、また１５℃において駆動した結果を図１３に示す。この図は図１１におけるバイアス電圧区間の８Ｖから１０Ｖで顕著であったＴｏｎの輝度の不足を十分補っていることがわかる。ただこのとき書きこみが進行しているｉ＋１，ｉ＋２の書きこみの電極の極性のうちｉ＋２番めの選択電極の極性がｉ番目のそれと同じになるため、パネルに若干の品位低下が生じてしまう。
【００４１】
実施例７
低温特性を改善するための手段として４個の同極性からなる矩形波から構成された選択電圧波形を考案した。この選択電圧波形を図１４に、また１５℃での駆動結果を図１５に示す。矩形波の極性の組み合わせを（１、−１，１，１）とした図１１と比較すると更なるマトリックス特性の改良がなされ、２５℃での特性が問題なく１５℃においても実現されていることがわかる。
１５℃において、一の選択波形を構成する単位構成矩形波のすべてが同極性である選択波形で駆動した結果を表３に示した。表２との比較から、マトリックス特性を改善するためには基本的には同極性のパルスのみで選択波形を構成するのがよいことがわかる。ただこのとき書きこみが進行しているｉ＋１，ｉ＋２，ｉ＋３の書きこみの電極極性のうちｉ＋２番めの電極の極性がｉ番目のそれと同じになるため、パネルに若干の品位低下が生じてしまう。
【００４２】
実施例８
本発明の駆動法の有効性を確認するために、さらに０℃での実験を行った。０℃での低温特性に関し、まず構成単位矩形波１個で構成した選択波形については図１６に比較例として、一方構成単位矩形波３個からなる同極性からなる選択波形をフレーム周波数３０Ｈｚで駆動した結果を図１７に示す。最初に図１６の結果を見てみると、ＴｏｎとＴｏｆｆの透過光曲線が一致している。この事実は、このセルについて、通常のマルチプレックス駆動を試みても、白と黒のデータがもはや全く書きこめない状態に相当することがわかる。
一方図１７で示されるような、本発明での駆動を行うと、白および黒の状態の書きこみが担保され、Ｔｏｎ（Ｖｂ１＿ｏｆｆ）の値を計算すると、最大コントラスト５以上の値の得られることがわかる。ただ、隣接する選択電極間で、書きこみの極性が同じ状態であることに起因することが原因で、このときもやはり若干の品位低下が生じてしまう。
【００４３】
実施例９
０℃での低温特性を改善するための手段として４個の同極性からなる単位矩形波から構成された選択波形で、フレーム周波数３０Ｈｚにて駆動した結果を図１８に示す。図１７と比較するとマトリックス特性はさらに改善され、Ｔｏｎ（Ｖｂ１＿ｏｆｆ）の値を計算すると、最大コントラスト１０以上の値が得られることがわかる。ただ、隣接する選択電極間で、書きこみの極性が同じ状態であることに起因することが原因で、このときもやはり若干の品位低下が生じてしまう。０℃における結果を表４に示した。単一矩形波からなる選択波形ではマトリックス駆動すら不可能であったパネルが、駆動法を変更することによりコントラスト比５以上で駆動可能になったことを示している。
【００４４】
【表１】２５℃における特性比較表
2004144915.tif 000007
【００４５】
【表２】１５℃における特性比較表
2004144915.tif 000008
【００４６】
【表３】１５℃における特性比較表
2004144915.tif 000009
【００４７】
【表４】０℃における特性比較表
2004144915.tif 000010
【図面の簡単な説明】
【図１】実施例における駆動波形の説明図
【図２】単一選択波形による駆動での透過光強度とバイアス電圧依存性
【図３】矩形波３パルスで構成する選択電圧波形
【図４】矩形波３パルスで構成した選択電圧波形での駆動結果
【図５】矩形波４パルスで構成する選択電圧波形
【図６】矩形波４パルスで構成した選択電圧波形での駆動結果
【図７】矩形波５パルスで構成する選択電圧波形
【図８】矩形波５パルスで構成した選択電圧波形での駆動結果
【図９】１５℃における単一選択電圧波形による駆動結果
【図１０】１５℃における矩形波３パルスで構成する選択電圧波形による駆動結果
【図１１】１５℃における矩形波４パルスで構成する選択電圧波形による駆動結果
【図１２】１５℃における同極性矩形波３パルスで構成する選択電圧波形
【図１３】１５℃における同極性矩形波３パルスで構成する選択電圧波形による駆動結果
【図１４】１５℃における同極性矩形波４パルスで構成する選択電圧波形
【図１５】１５℃における同極性矩形波４パルスで構成する選択電圧波形による駆動結果
【図１６】０℃における矩形波１パルスで構成する選択電圧波形による駆動結果
【図１７】０℃における矩形波３パルスで構成する選択電圧波形による駆動結果
【図１８】０℃における矩形波４パルスで構成する選択電圧波形による駆動結果
【図１】
2004144915.tif 000011
【図２】
2004144915.tif 000012
【図３】
2004144915.tif 000013
【図４】
2004144915.tif 000014
【図５】
2004144915.tif 000015
【図６】
2004144915.tif 000016
【図７】
2004144915.tif 000017
【図８】
2004144915.tif 000018
【図９】
2004144915.tif 000019
【図１０】
2004144915.tif 000020
【図１１】
2004144915.tif 000021
【図１２】
2004144915.tif 000022
【図１３】
2004144915.tif 000023
【図１４】
2004144915.tif 000024
【図１５】
2004144915.tif 000025
【図１６】
2004144915.tif 000026
【図１７】
2004144915.tif 000027
【図１８】
2004144915.tif 000028